(57)【要約】【課題】静電気などによって磁気カードリーダがリセットされた場合であっても、自動的にエラー復帰することを可能にし、利便性を向上させ得るドライバーモジュール、磁気情報処理システム及び磁気情報読取装置を提供する。【解決手段】磁気カードリーダ２０と、磁気カードリーダ２０を利用して磁気情報の読み取りを上位装置１０に実行させるアプリケーション１１との間の通信を制御するドライバーモジュール３０において、磁気カードリーダ２０及び上位装置１０が前記磁気情報の入力待ちを示す待機状態にある場合に、磁気カードリーダ２０がリセットされて初期状態に陥ったとき、磁気カードリーダ２０を初期状態から待機状態へ遷移させる。【選択図】図１
2010086125.tif 000002
【特許請求の範囲】
【請求項１】
磁気カードリーダと、当該磁気カードリーダを利用して磁気情報の読み取りを上位装置に実行させるアプリケーションとの間の通信を制御するドライバーモジュールにおいて、
前記磁気カードリーダ及び前記上位装置が前記磁気情報の入力待ちを示す待機状態にある場合に、前記磁気カードリーダがリセットされて初期状態に陥ったとき、前記磁気カードリーダを前記初期状態から前記待機状態へ遷移させることを特徴とするドライバーモジュール。
【請求項２】
磁気ストライプを有するカード状媒体を走行基準面に沿って手動走行させる前記磁気カードリーダが、静電気によってリセットされて初期状態に陥ったとき、前記磁気カードリーダを前記初期状態から前記待機状態へ遷移させることを特徴とする請求項１記載のドライバーモジュール。
【請求項３】
前記磁気カードリーダに対し、少なくとも初期化コマンド、読取許可コマンドを送信することによって、前記磁気カードリーダを前記初期状態から前記待機状態へ遷移させることを特徴とする請求項１又は２記載のドライバーモジュール。
【請求項４】
請求項１から３のいずれか記載のドライバーモジュールと、前記磁気カードリーダと、前記上位装置と、を有する磁気情報処理システムにおいて、
前記磁気カードリーダ及び前記上位装置が前記磁気情報の入力待ちを示す待機状態にある場合に、前記磁気カードリーダがリセットされて初期状態に陥るエラーを検知するエラー検知手段を備え、
前記ドライバーモジュールは、前記エラー検知手段によるエラー検知を受けて、前記磁気カードリーダを前記初期状態から前記待機状態へ遷移させることを特徴とする磁気情報処理システム。
【請求項５】
請求項１から３のいずれか記載のドライバーモジュールと、前記磁気カードリーダとから構成される磁気情報読取装置。
【発明の詳細な説明】
【技術分野】
【０００１】
本発明は、磁気カードリーダと上位装置のアプリケーションとの間の通信を制御するドライバーモジュール、磁気情報処理システム及び磁気情報読取装置に関する。
【背景技術】
【０００２】
従来から、クレジットカード，プリペイドカード又はキャッシュカード等のカード状媒体に形成された磁気ストライプには、例えば固有情報等の磁気情報が記録されている。この磁気情報の読み取り又は書き込みを行うものとして、磁気カードリーダが広く普及している。
【０００３】
ところで、例えばスワイプ式の磁気カードリーダでは、カード状媒体を読み取っている場合（たとえば、利用者がカードを手動で走行（スワイプ）させる際）に静電気が発生することがある。この場合、磁気カードリーダのデバイス自体はリセットされる。より具体的には、ソフト側がカード読み取り可能（Ｅｎａｂｌｅ）状態、デバイス側が初期状態と、互いに異なる状態となるため、処理が破綻しエラーが発生する。そして、磁気カードリーダとの通信を制御するドライバーモジュール（例えばＯＰＯＳ−ＭＳＲなど）は、エラーを上位装置（のアプリケーション）に通知するのみで、自らは磁気カードリーダの復帰処理を行わない。そのため、上位装置側において、復帰処理が行われるのを待つことになる。例えば特許文献１に開示された磁気カードリーダは、上位装置からの所定のリセット信号を受信するまで待機し、これを受信すると、初期状態に復帰するようになっている。
【０００４】
【特許文献１】特開平２−９６２９７号公報
【発明の開示】
【発明が解決しようとする課題】
【０００５】
しかしながら、上位装置側で自動的に復帰できない場合（例えば人の動作が介入しないと復帰できない場合）には、利便性に欠ける。すなわち、上述した特許文献１において、リセット信号を上位装置から人為的に（サービスマン等の手動操作により）送信しなければならない場合には、利便性に欠ける。
【０００６】
例えば、２４時間稼動し続け、お客自身が操作するセルフサービス方式のシステムを考えた場合、不特定多数の人がどのような操作をするか分からない状態であるため、仮に操作中に（静電気等による）エラーが発生した場合、適切な復帰処理が行われる可能性は低い。ガソリンスタンドを例に挙げてより具体的に説明すると、店員がシステムを利用するフルサービス方式のシステムでは、カード読み取り中に静電気が原因のリセットによるエラーが発生した場合、その店員が決められた手順で所定操作を行い、磁気カードリーダを復帰させることは容易である。しかし、お客自身がシステムを利用するセルフサービス方式のシステムで同様のエラーが発生した場合、お客自身の操作によってシステムを復帰させることは困難である。
【０００７】
本発明は、このような点に鑑みてなされたものであり、その目的は、静電気などによって磁気カードリーダがリセットされた場合であっても、自動的にエラー復帰することを可能にし、利便性を向上させ得るドライバーモジュール、磁気情報処理システム及び磁気情報読取装置を提供することにある。
【課題を解決するための手段】
【０００８】
以上のような課題を解決するために、本発明は、以下のものを提供する。
【０００９】
（１）  磁気カードリーダと、当該磁気カードリーダを利用して磁気情報の読み取りを上位装置に実行させるアプリケーションとの間の通信を制御するドライバーモジュールにおいて、前記磁気カードリーダ及び前記上位装置が前記磁気情報の入力待ちを示す待機状態にある場合に、前記磁気カードリーダがリセットされて初期状態に陥ったとき、前記磁気カードリーダを前記初期状態から前記待機状態へ遷移させることを特徴とするドライバーモジュール。
【００１０】
本発明によれば、磁気カードリーダと、上位装置のアプリケーションとの間の通信を制御するドライバーモジュールは、磁気カードリーダと上位装置が磁気情報の入力待ちを示す待機状態にある場合に、磁気カードリーダがリセットされて初期状態に陥ったとき、磁気カードリーダを初期状態から待機状態へ遷移させることとしたので、磁気カードリーダの利便性を向上させることができる。すなわち、磁気カードリーダがリセットされた場合であっても、ドライバーモジュールの機能によって自動的にエラー復帰することができるので、利便性を高めることができる。また、自動的にエラー復帰することができれば、上位装置側にエラー通知を行う回数を減らすことができる。さらに、ドライバーモジュールにより自動的にエラー復帰する場合には、上位装置側からのコマンド（例えばリセット信号）によってエラー復帰する場合に比べて、復帰までの時間を短縮することができる。
【００１１】
（２）  磁気ストライプを有するカード状媒体を走行基準面に沿って手動走行させる前記磁気カードリーダが、静電気によってリセットされて初期状態に陥ったとき、前記磁気カードリーダを前記初期状態から前記待機状態へ遷移させることを特徴とする（１）記載のドライバーモジュール。
【００１２】
本発明によれば、上述した磁気カードリーダは、磁気ストライプを有するカード状媒体を走行基準面に沿って手動走行させる、いわゆるスワイプ式のものであって、この磁気カードリーダが静電気によってリセットされた初期状態に陥ったとき、ドライバーモジュールは、磁気カードリーダを初期状態から待機状態へ遷移させることとしたので、利便性を高めることができる。
【００１３】
すなわち、スワイプ式の磁気カードリーダでは、カード状媒体の手動走行に起因したリセット（人の手を介して伝わる静電気によるリセット）が十分に考えられる。このような場合であっても、本発明に係るドライバーモジュールによれば、磁気カードリーダは自動的にエラー復帰することができるので、利便性を高めることができる。
【００１４】
（３）  前記磁気カードリーダに対し、少なくとも初期化コマンド、読取許可コマンドを送信することによって、前記磁気カードリーダを前記初期状態から前記待機状態へ遷移させることを特徴とする（１）又は（２）記載のドライバーモジュール。
【００１５】
本発明によれば、上述したドライバーモジュールは、磁気カードリーダに対し、少なくとも初期化コマンド、読取許可コマンドを送信することによって、磁気カードリーダを初期状態から待機状態へ遷移させることとしたので、上位装置側からリセット信号等がなくても、あたかも上位装置のように振舞って、磁気カードリーダをエラー復帰させることができる。
【００１６】
（４）  （１）から（３）のいずれか記載のドライバーモジュールと、前記磁気カードリーダと、前記上位装置と、を有する磁気情報処理システムにおいて、前記磁気カードリーダ及び前記上位装置が前記磁気情報の入力待ちを示す待機状態にある場合に、前記磁気カードリーダがリセットされて初期状態に陥るエラーを検知するエラー検知手段を備え、前記ドライバーモジュールは、前記エラー検知手段によるエラー検知を受けて、前記磁気カードリーダを前記初期状態から前記待機状態へ遷移させることを特徴とする磁気情報処理システム。
【００１７】
本発明によれば、上述したドライバーモジュールと、磁気カードリーダと、上位装置と、を有する磁気情報処理システムにおいて、磁気カードリーダ及び上位装置が磁気情報の入力待ちを示す待機状態にある場合に、磁気カードリーダがリセットされて初期状態に陥るエラーを検知するエラー検知手段を設け、エラー検知手段によるエラー検知を受けたドライバーモジュールによって、磁気カードリーダは初期状態から待機状態へ遷移することとしたので、上述同様、自動的にエラー復帰することができ、ひいては磁気カードリーダの利便性を高めることができる。また、上位装置側のアプリケーション側にエラー通知を行う回数を減らすこともできる。さらに、ドライバーモジュールにより自動的にエラー復帰することで、復帰までの時間を短縮することができる。
【００１８】
（５）  （１）から（３）のいずれか記載のドライバーモジュールと、前記磁気カードリーダとから構成される磁気情報読取装置。
【００１９】
本発明によれば、磁気情報読取装置は、上述したドライバーモジュールと、磁気カードリーダとから構成されることとしたので、上位装置のアプリケーションから何らかのリセット信号等を受信しなくても、磁気情報読取装置内の処理だけで自動的にエラー復帰することができる。
【発明の効果】
【００２０】
以上説明したように、本発明によれば、静電気などによって磁気カードリーダがリセットされた場合であっても、それを自動的にエラー復帰させることができ、ひいては利便性を高めることができる。
【発明を実施するための最良の形態】
【００２１】
以下、本発明を実施するための最良の形態について、図面を参照しながら説明する。
【００２２】
［システム構成］
図１は、本発明の実施の形態に係る磁気情報処理システム１の構成を示すブロック図である。
【００２３】
図１に示すように、本実施形態に係る磁気情報処理システム１は、主として、上位装置（例えばＰＯＳ端末用ホスト）１０と、磁気カードリーダ２０とから構成されている。また、上位装置１０は、磁気カードリーダ２０を利用して磁気情報の読み取りを上位装置１０に実行させるアプリケーション１１と、このアプリケーション１１と磁気カードリーダ２０との間の通信を制御するドライバーモジュール３０と、を有している。さらに、ドライバーモジュール３０は、ＯＰＯＳ（Open Point of Service）技術協議会によってアプリケーションサービスインターフェイスの標準規格（ソフト）として定められているＯＰＯＳ１２と、実際に磁気カードリーダ２０との通信を制御する磁気カードリーダ通信制御用ソフトウェア１３と、を有している。
【００２４】
なお、図１において、アプリケーション１１、ＯＰＯＳ１２、及び磁気カードリーダ通信制御用ソフトウェア１３は、いずれも機能ブロック図を示しており、各種ハードウェアによって実現される。より具体的には、図１では特に図示していないが、上位装置１０は、ＣＰＵ，ＲＯＭ，ＲＡＭ等の各種ハードウェアを有しており、上位装置１０を統合的に制御する機能、磁気カードリーダ２０との通信機能、及び磁気情報の読み取りを行う機能などを有している。すなわち、ＲＯＭなどの記憶媒体には、上位装置１０全体を統括的に制御するプログラム、磁気カードリーダ２０との通信を行うためのプログラム、及び磁気情報読取プログラムなどが格納されており、ＣＰＵは、適宜それらのプログラムを読み出して、ＲＡＭをワーキングエリアとしつつ各種処理を実行する。
【００２５】
磁気カードリーダ２０は、上位装置１０と電気的に接続されるとともに、特に図示しないがＣＰＵ，ＲＯＭ，ＲＡＭ，磁気ヘッドなどを有している。磁気カードリーダ２０は、磁気ヘッドを通じてカード状媒体に記録された磁気情報を読み取るとともに、読み取った磁気情報を上位装置１０側へ送信する機能を有する。すなわち、ＲＯＭなどの記憶媒体には、磁気カードリーダ２０全体を統括的に制御するプログラム、上位装置１０との通信を行うためのプログラム、及び磁気情報読取プログラムなどが格納されており、ＣＰＵは、適宜それらのプログラムを読み出して、ＲＡＭをワーキングエリアとしつつ各種処理を実行する。
【００２６】
なお、本実施形態では、磁気カードリーダ２０として、磁気ストライプを有するカード状媒体を走行基準面に沿って手動走行させるスワイプ式のものを採用しているが、本発明はこれに限られない。また、本実施形態では、上位装置１０と磁気カードリーダ２０との通信に着目しているが、上位装置１０のアプリケーション１１と、磁気情報読取装置４０との通信に着目することも可能である。この場合、磁気情報読取装置４０は、ドライバーモジュール３０と、磁気カードリーダ２０とから構成されることになる。
【００２７】
ここで、ここで、本実施形態に係る磁気情報処理システム１では、ＯＰＯＳ１２内に、磁気カードリーダ２０がリセットされて初期状態に陥るエラーを検知するエラー検知手段１２０が設けられており、ドライバーモジュール３０は、そのエラー検知手段１２０が出力するエラー通知を受けて、磁気カードリーダ２０を初期状態から待機状態へと遷移させることができるようになっている（上位装置１０のＲＯＭ等には自動復帰プログラムが格納されている）。このような機能について、図２，図３を用いて詳述する。なお、本実施形態では、エラー検知手段１２０は、ＯＰＯＳ１２内に設けられているが、ＯＰＯＳ１２内に限定されるものではなく、ＯＰＯＳ１２とは別体でドライバーモジュール３０内に設けてもよい。
【００２８】
図２は、ＯＰＯＳ１２の状態遷移を説明するための説明図である。図３は、静電気によるリセットが生じた場合のエラー復帰処理を説明するためのフロー図である。
【００２９】
図２において、ＯＰＯＳ１２は、最初はＣｌｏｓｅ状態（状態ＳＴ１）になっているが、上位装置１０のアプリケーション１１からＯｐｅｎメソッドを受け取った場合には、Ｏｐｅｎ状態（状態ＳＴ２）に遷移する。そして、更にＣｌａｉｍＤｅｖｉｃｅメソッドを受け取ると、Ｃｌａｉｍ状態（状態ＳＴ３）に遷移し、コネクトの初期化が完了する。その後、ＤｅｖｉｃｅＥｎａｂｌｅｄ＝ＴＲＵＥへプロパティが設定されると、ＯＰＯＳ１２はＥｎａｂｌｅ状態（状態ＳＴ４）となり、読み取り待ち状態（磁気情報の入力待ちを示す待機状態）となる。一方で、ＯＰＯＳ１２がＥｎａｂｌｅ状態になれば、磁気カードリーダ２０も、磁気情報の入力待ちを示す待機状態となっている。
【００３０】
なお、逆の状態遷移も同様で、アプリケーション１１からＯＰＯＳ１２へＤｅｖｉｃｅＥｎａｂｌｅ＝ＦＡＬＳＥのプロパティ設定が行われると、ＯＰＯＳ１２の状態は状態ＳＴ４から状態ＳＴ３へ遷移し、ＲｅｌｅａｓｅＤｅｖｉｃｅメソッドが送られると、ＯＰＯＳ１２の状態は状態ＳＴ３から状態ＳＴ２へ遷移し、Ｃｌｏｓｅメソッドが送られると、ＯＰＯＳ１２の状態は状態ＳＴ２から状態ＳＴ１へ遷移する。
【００３１】
このようなＯＰＯＳ１２の状態遷移に基づいて、エラー復帰処理について詳述すると、図３に示すように、まず、アプリケーション１１からＯＰＯＳ１２へＤｅｖｉｃｅＥｎａｂｌｅｄ＝ＴＲＵＥのプロパティ設定が行われる（ステップＳ１）。これを受信したＯＰＯＳ１２は、デバイス（磁気カードリーダ２０）に対して初期化コマンドを送信する（ステップＳ２）。これに対して初期化完了のレスポンスがＯＰＯＳ１２に返ってくる（ステップＳ２）。次に、ＯＰＯＳ１２は、デバイスに対して機器認証コマンドを送信する（ステップＳ３）。これに対して機器認証完了のレスポンスがＯＰＯＳ１２に返ってくる（ステップＳ３）。次に、ＯＰＯＳ１２は、デバイスに対して読取許可コマンドを送信する（ステップＳ４）。これに対して読取許可確認のレスポンスがＯＰＯＳ１２に返ってくる（ステップＳ４）。そして、読取許可確認のレスポンスを受信したＯＰＯＳ１２は、ＲｅｓｕｌｔＣｏｄｅ＝ＯＰＯＳ＿ＳＵＣＣＥＳＳのレスポンスをアプリケーション１１に送信する（ステップＳ５）。その結果、上位装置１０と磁気カードリーダ２０は、磁気情報の入力待ちを示す待機状態となる。なお、本実施形態では、磁気データに暗号（ＤＥＳ）を使用しており、機器認証コマンドを実行している。機器認証コマンドは、デバイス（磁気カードリーダ２０）とドライバーモジュール３０が同じマスターキーを保有しているかを確認し、キー交換用のキーを互いに保有する機能を有している。暗号（ＤＥＳ）を使用しない場合、機器認証コマンドは不要となる（ステップＳ３、Ｓ９）。
【００３２】
この待機状態では、ＯＰＯＳ１２は、例えば１００ｍｓの間隔で、定期的にスワイプ完了待ちコマンドをデバイスに送信する（ステップＳ６）。ここで、磁気カードリーダ２０において、仮に静電気によるリセットが発生した場合、ＯＰＯＳ１２のエラー検知手段１２０によってエラーが検知される。より具体的には、ＯＰＯＳ１２がスワイプ完了待ちコマンドをデバイスに送信しても（ステップＳ７）、磁気カードリーダ２０が初期化できていない状態（初期状態）に陥っているため、エラーレスポンスが返ってくる。
【００３３】
そこで、ＯＰＯＳ１２は自動的にエラー復帰処理を実行する。より具体的には、本実施形態では、磁気カードリーダ２０に対し、初期化コマンド、機器認証コマンド、読取許可コマンドをこの順に送信することによって（ステップＳ８，ステップＳ９及びステップＳ１０）、磁気カードリーダ２０を初期状態から待機状態へ遷移させる。これにより、エラーから復帰し、ＯＰＯＳ１２はカードスワイプ待ちの処理を継続するため、スワイプ完了待ちコマンドを定期的に送信する（ステップＳ１１）。なお、磁気カードリーダ２０に対し、初期化コマンド、機器認証コマンド、読取許可コマンドをこの順に送信しているが、この順番に限定されるものではない。たとえば、機器認証コマンド、読取許可コマンドを逆にしてもよい。また、少なくとも初期化コマンド、読取許可コマンドを送信すればよく、機器認証コマンドを送信しない場合もあるし、この機器認証コマンド以外のコマンドを送信してもよい。
【００３４】
一般に、アプリケーション１１によってエラー復帰が行われる従来のシステムによれば、上位装置１０と磁気カードリーダ２０とで通信の切断が行われるため、人為的操作が介在しないとエラー復帰は行われない。しかし、本実施形態に係るドライバーモジュール３０によれば、ＯＰＯＳ１２がエラー復帰処理を行う際、磁気カードリーダ２０とドライバーモジュール３０との通信が切断されないので、自動的にエラー復帰が行われることになる。したがって、利便性の向上に繋がることになる。
【００３５】
図４は、ＯＰＯＳ１２によるエラー復帰処理の流れを示すフローチャートである。
【００３６】
図４に示すように、まず、ＤｅｖｉｃｅＥｎａｂｌｅｄ＝ＴＲＵＥのプロパティ設定を契機として、初期化処理が実行される（ステップＳ３１）。より具体的には、ＯＰＯＳ１２は、アプリケーション１１からＤｅｖｉｃｅＥｎａｂｌｅｄ＝ＴＲＵＥへプロパティが設定されると、上述したように、磁気カードリーダ２０に対し、初期化コマンド、機器認証コマンド、読取許可コマンドを送信する（図３のステップＳ２，ステップＳ３及びステップＳ４参照）。そして、初期化処理が成功すると、すなわちエラーがなければ（ステップＳ３２：ＮＯ）、処理はステップＳ３３に移される。一方、初期化処理に失敗した場合、すなわちエラーがあった場合には（ステップＳ３２：ＹＥＳ）、初期化することができない異常が生じているとして、処理を終了する。
【００３７】
ステップＳ３３において、ＯＰＯＳ１２は、Ｅｎａｂｌｅ状態（図２に示す状態ＳＴ４）となっており、カードスワイプを監視している。一方、デバイス（磁気カードリーダ２０）は、カードスワイプを検知するコマンド（図３に示すスワイプ完了待ちコマンド）をポーリングしている。
【００３８】
ここで、カードスワイプ時に静電気リセットが発生した場合には、デバイス（磁気カードリーダ２０）は初期化され、カードスワイプを検知するコマンド（スワイプ完了待ちコマンド）に対して未初期化エラーのレスポンスを返す。未初期化エラーが返されていない場合には（ステップＳ３４：ＮＯ）、ＤｅｖｉｃｅＥｎａｂｌｅｄプロパティの状態が判断され（ステップＳ３６：ＴＲＵＥ）、ＤｅｖｉｃｅＥｎａｂｌｅｄ＝ＴＲＵＥであればカードスワイプの監視が継続して行われる（ステップＳ３３）。また、ＤｅｖｉｃｅＥｎａｂｌｅｄ＝ＦＡＬＳＥの状態であれば（ステップＳ３６：ＦＡＬＳＥ）、処理は終了する。
【００３９】
一方で、ステップＳ３４において未初期化エラーが返された場合には（ステップＳ３４：ＹＥＳ）、復帰用の初期化処理が行われる（ステップＳ３５）。より具体的には、図３を用いて説明したように、ＯＰＯＳ１２は、磁気カードリーダ２０に対し、初期化コマンド、機器認証コマンド、読取許可コマンドをこの順に送信し（図３のステップＳ８，ステップＳ９及びステップＳ１０参照）、磁気カードリーダ２０はこれらのコマンドを順次実行する。その結果、エラー復帰が完了する。そして、ＯＰＯＳ１２は、再びスワイプ完了待ちコマンドを定期的に送信する、カードスワイプ監視処理（ステップＳ３３）に移行する。
【００４０】
［実施形態の主な効果］
以上説明したように、本実施形態に係るドライバーモジュール３０によれば、磁気カードリーダ２０がリセットされて初期状態に陥ったとき、磁気カードリーダ２０を自動的に初期状態から待機状態へ遷移させることができるので、利便性を高めることができる。
【００４１】
また、自動的にエラー復帰することができれば（図４のステップＳ３５）、上位装置１０のアプリケーション１１側にエラー通知を行う回数を減らすことができる。さらに、ドライバーモジュール３０により自動的にエラー復帰する場合は、磁気カードリーダ２０とドライバーモジュール３０との通信が切断されないので、エラー復帰までの時間を短縮することができる。なお、上位装置１０のアプリケーション１１側で復帰処理を行う必要がなくなれば、より強固なシステムを構築することができる。
【００４２】
なお、カードスワイプの静電気による影響は、デバイスのリセットだけでなく、デバイスが暴走する事例もある。デバイスが暴走した場合、電源を入れ直さなければ復帰することができない。
【００４３】
［実施例］
静電気試験用の治具を用いて、１０００回の静電気実験を行った。９８０回リセットが発生したが、自動復帰することができた。したがって、本試験では９８％の確率で自動復帰したことを確認することができた。
【産業上の利用可能性】
【００４４】
以上説明したように、本発明は、デバイスのエラー復帰を自動的に行うことができ、利便性を向上させることが可能なものとして有用である。
【図面の簡単な説明】
【００４５】
【図１】本発明の実施の形態に係る磁気情報処理システムの構成を示すブロック図である。
【図２】ＯＰＯＳの状態遷移を説明するための説明図である。
【図３】静電気によるリセットが生じた場合のエラー復帰処理を説明するためのフロー図である。
【図４】ＯＰＯＳによるエラー復帰処理の流れを示すフローチャートである。
【符号の説明】
【００４６】
１  磁気情報処理システム
１０  上位装置
１１  アプリケーション
１２  ＯＰＯＳ
１３  磁気カードリーダ通信制御用ソフトウェア
２０  磁気カードリーダ
３０  ドライバーモジュール
４０  磁気情報読取装置
【図１】
2010086125.tif 000003
【図２】
2010086125.tif 000004
【図３】
2010086125.tif 000005
【図４】
2010086125.tif 000006